(57)【要約】【課題】  安価な無線タグリーダを追加する事で見守り担当者が移動先の映像表示端末においても身分証明書などに取り付けた無線タグのＩＤを読み取ることで見守り担当者の移動先を判断し、移動先の映像表示端末で被見守り者の映像を表示し確認することができる被見守者映像転送装置を提供する。【解決手段】  無線タグリーダ７が見守り担当者を識別する無線タグを検知すると、被見守り者が行動するエリアに設置された複数の映像カメラ２の映像データを、当該無線タグリーダ７が読取ったＩＤデータに対応する転送先モニタ６へ送る。設定により常時、また通報時に転送先モニタ６に映像を表示させる。【選択図】    図１
2017174262.tif 000002
【特許請求の範囲】
【請求項１】
複数の被見守り者が居る所定の施設に設置された複数の映像カメラと、前記施設に設置された複数の映像表示装置と、前記映像カメラから受信した映像データを所定の宛先へ転送する映像転送装置と、前記被見守り者の各々に対応する複数の通報装置と、前記被見守り者または前記被見守り者を見守る見守り担当者の各々が所持する無線タグからＩＤ情報を読取る無線タグリーダと、を含む見守りシステムを構成する前記映像転送装置であって、
前記被見守り者を識別する被見守り者ＩＤと前記被見守り者の担当者である見守り担当者を識別する見守り担当者ＩＤと前記通報装置を識別する通報装置ＩＤを対応付けて登録するＩＤ対応登録手段と、
前記無線タグリーダを識別する情報を前記映像カメラまたは前記映像表示装置を識別する情報と前記対応付けて登録するタグリーダ登録手段と、
前記映像カメラから映像データを受信する映像データ受信手段と、
前記無線タグリーダから当該無線タグリーダが読み取ったＩＤ情報を受信するＩＤ情報受信手段と、
前記受信したＩＤ情報を記憶しておくＩＤ情報記憶手段と、
前記通報装置から所定の通報信号を受信する通報受信手段と、
前記映像データに所定の文字データを重畳する文字データ重畳手段と、
前記映像データを所定の宛先へ転送する映像転送手段と、を有し、
前記被見守り者のいずれかに係る通報信号を受信した場合に、
前記通報信号を送信してきた通報装置に対応する被見守り者ＩＤおよび前記被見守り者ＩＤを特定し、
前記ＩＤ記憶手段を参照して前記特定した被見守り者ＩＤおよび見守り担当者ＩＤを最新に読取った無線タグリーダを特定し、
前記タグリーダ登録手段を参照して前記被見守り者ＩＤを最新に読取った無線タグリーダに対応する映像カメラから受信した映像データに前記受信した通報信号に係る文字データを重畳し、
前記文字データが重畳された映像データを前記見守り担当者ＩＤを最新に読取った無線タグリーダに対応する映像表示装置へ転送することを特徴とする被見守り者映像転送装置。
【発明の詳細な説明】
【技術分野】
【０００１】
本発明は、被見守り者の映像を映像カメラで撮像し、見守り者の表示端末に転送する装置に関する。
【背景技術】
【０００２】
近年、高齢者の状況を見守るために設置したカメラからの映像データを、見守り者の要求により携帯端末に映像を転送する映像転送装置が知られている。これは任意の場所で撮影した高齢者の映像データをサーバ等の装置に送信し蓄積することで、サーバで高齢者の映像データ等を管理保持し、被見守り者の状態を見守り者の要求で携帯端末へ配信するものである（例えば、特許文献１）。
【０００３】
しかしながら、特許文献１に記載されている携帯端末では、映像を表示させるモニタ付きの携帯端末が必要となり、見守り者が複数いる場合人数分の端末を準備する必要があり不経済である。
【先行技術文献】
【特許文献】
【０００４】
【特許文献１】特開２００４−３１３４６１号公報
【発明の概要】
【発明が解決しようとする課題】
【０００５】
そこで、本発明の課題は、本発明の課題は、安価な無線タグリーダを追加する事で見守り担当者が移動先の映像表示端末においても身分証明書などに取り付けた無線タグのＩＤを読み取ることで見守り担当者の移動先を判断し、移動先の映像表示端末で被見守り者の映像を表示し確認することができる被見守者映像転送装置を提供することにある。
【課題を解決するための手段】
【０００６】
上記課題を解決するために、本発明は、複数の被見守り者が居る所定の施設に設置された複数の映像カメラと、前記施設に設置された複数の映像表示装置と、前記映像カメラから受信した映像データを所定の宛先へ転送する映像転送装置と、前記被見守り者の各々に対応する複数の通報装置と、前記被見守り者または前記被見守り者を見守る見守り担当者の各々が所持する無線タグからＩＤ情報を読取る無線タグリーダと、を含む見守りシステムを構成する前記映像転送装置であって、前記被見守り者を識別する被見守り者ＩＤと前記被見守り者の担当者である見守り担当者を識別する見守り担当者ＩＤと前記通報装置を識別する通報装置ＩＤを対応付けて登録するＩＤ対応登録手段と、前記無線タグリーダを識別する情報を前記映像カメラまたは前記映像表示装置を識別する情報と前記対応付けて登録するタグリーダ登録手段と、前記映像カメラから映像データを受信する映像データ受信手段と、前記無線タグリーダから当該無線タグリーダが読み取ったＩＤ情報を受信するＩＤ情報受信手段と、前記受信したＩＤ情報を記憶しておくＩＤ情報記憶手段と、前記通報装置から所定の通報信号を受信する通報受信手段と、前記映像データに所定の文字データを重畳する文字データ重畳手段と、前記映像データを所定の宛先へ転送する映像転送手段と、を有し、前記被見守り者のいずれかに係る通報信号を受信した場合に、前記通報信号を送信してきた通報装置に対応する被見守り者ＩＤおよび前記被見守り者ＩＤを特定し、前記ＩＤ記憶手段を参照して前記特定した被見守り者ＩＤおよび見守り担当者ＩＤを最新に読取った無線タグリーダを特定し、前記タグリーダ登録手段を参照して前記被見守り者ＩＤを最新に読取った無線タグリーダに対応する映像カメラから受信した映像データに前記受信した通報信号に係る文字データを重畳し、前記文字データが重畳された映像データを前記見守り担当者ＩＤを最新に読取った無線タグリーダに対応する映像表示装置へ転送することを特徴とする。
【発明の効果】
【０００７】
本発明によれば、各々の被見守り者の映像を収集して蓄積し、見守り者と対応付けられたＩＤを検出した転送宛先へ映像を転送することが出来、見守り者が移動先でも無線タグを使用することで、移動先の装置により見守り映像を見ることができ、被見守り者が緊急時に言葉が話せない状態にあっても自身の状況を映像で見守り担当者へ送ることで見守り担当者が状況を確認し判断できる映像を転送できる被見守者映像転送装置を提供することが出来る。
【図面の簡単な説明】
【０００８】
【図１】本発明による見守り映像転送装置の内部ブロック構成を含む全体図
【図２】見守り者データ記憶部１５の記憶内容の例
【図３】本発明による見守り映像転送装置の動作フローチャート
【発明を実施するための形態】
【０００９】
以下、本発明の実施形態について説明する。図１は、本発明による見守り映像転送装置（以下、本装置と略す）の内部ブロック構成を含む全体図である。
【００１０】
本装置１を含むシステムの全体構成を説明する。無線タグリーダ９−１〜９−Ｎは、映像カメラ２−１〜２−Ｎと対応付けられており、高齢者等の被見守り者が生活する住宅または介護施設等に設置された映像カメラであり、近傍に存在する被見守り者が所持する身分証や通報ボタンなどに貼られた無線タグ（図示せず）から、当該無線タグが記憶しているＩＤデータを読取り、各々の被見守り者の様子を見守る映像データを本装置１へ送信する。
【００１１】
無線タグリーダ７−１〜７−Ｌは、転送先モニタ６−１〜６−Ｌのいずれかに対応付けられており、近傍に存在する見守り者が所持する身分証などに貼られた無線タグ（図示せず）から、当該無線タグが記憶しているＩＤデータを読取り、本装置１へ送信し通信制御部１４を介して、前記映像データを転送する転送先としてＩＤデータ記憶部１５に記憶する。
【００１２】
本装置１は、映像カメラ２−１〜２−Ｎから受信した各々の被見守り者の映像データを蓄積し、さらに、各被見守り者の映像データを、見守り者データ記憶部に記憶した見守り転送先に応じて、転送先モニタ６−１〜６〜Ｌの何れかへネットワーク５を介して転送する。
【００１３】
以下、本装置１の内部ブロック構成について詳細に説明する。本装置１は、クリアボタン８、映像データ受信処理部１０、映像データ変換処理部１１、映像データ蓄積部１２、映像データ切替部１３、通信制御部１４、ＩＤデータ記憶部１５、映像データ収集転送制御部１６、無線タグＩＤ受信処理部１７、検出部１８、データ入力部１９から構成される。
【００１４】
映像データ受信処理部１０は、各映像カメラ２−１〜２−Ｎから映像データを受信し、受信した映像カメラ２からの映像データを切替え、または小画面に分割して映像表示装置４に表示させる。また、受信した各映像カメラ２−１〜２−Ｎから映像データを映像データ変換処理部１１へ転送する。
【００１５】
映像データ変換処理部１１は、映像データ受信処理部１０からの映像データを、蓄積または転送する映像のサイズ，解像度，符号化方式に変換する手段である。
【００１６】
映像データ蓄積部１２は、映像データ変換処理部１１が変換した映像データを蓄積する手段であり、映像カメラ２のデータを保存することができる、これは通報ボタン等で被見守り者が現状を伝えたいときに通報時の前後の様子を通報することができるよう映像データを蓄積するものである。
【００１７】
また、映像データ収集転送制御部１６からの指示に応じて、所定の映像データを出力する。なお、メモリ容量が満杯になった場合、古い映像データを新しい映像データで上書きする。
【００１８】
映像データ切替部１３は、映像データ変換処理部１１が変換したリアルタイム（処理遅延はある）の映像データと、映像データ蓄積部１２に蓄積されている過去の映像データを、映像データ収集転送制御部１６からの指示に応じて、切替えて通信制御部１４へ伝達する手段である。
【００１９】
通信制御部１４は、映像データ収集転送制御部１６からの指示に応じて、映像データ切替部１３からの映像データを、ネットワーク５を介して転送先６へ転送すると共に、転送先モニタ６からの、無線タグリーダ７で読み取った見守り者ＩＤを映像データ収集転送制御部１６へ伝達する手段である。なお、この通信制御部１４は、映像データを転送先である転送先６の映像機器に応じて、転送する映像のサイズ，解像度，フレームレート，符号化方式を変換する機能も具備する。例えば、転送先である転送先６の映像機器が携帯電話機であった場合、符号化方式をその携帯電話機の映像通信方式に変換すると共に、映像のサイズ，解像度を変換し、フレームレートを落す。
【００２０】
検出部１８は、通報ボタン３−１〜３−Ｎからの押下情報を受信しデータ入力部１９へ通知し、押下情報を映像データ収集転送制御部１６へ通知する手段である。
【００２１】
ＩＤデータ記憶部１５は、各被見守り者のＩＤデータおよび各々の被見守り者と対応付けられた映像カメラ２と、見守り担当者のＩＤデータおよび対応付けられた転送先モニタ６の情報と、通報の際必要な呼出番号を含むデータを記憶する手段である。
【００２２】
映像データ収集転送制御部１６は、本装置１の全体を制御すると共に、映像データ受信処理部１０，映像データ蓄積部１２，映像データ切替部１３，通信制御部１４を制御して、所定の映像データを、ネットワーク５を介して所定の転送先モニタ６へ転送させる。
【００２３】
図２は、見守り者データ記憶部１５に記憶されている被見守り者データの例であり、列２０１には被見守り者の氏名、列２０２には見守り映像を自動的に所定の転送先６へ転送するかのＯＮＯＦＦ情報、列２０３には被見守り者のＩＤ情報、列２０４には被見守り者に対応する通報ボタン３−１〜３−Ｎの情報、列２０５には各被見守り者の撮像するカメラの映像データに関する情報、列２０６には見守り担当者のＩＤ情報、列２０７には無線タグリーダ７で検出した先の見守り転送先モニタ６の情報、列２０８には通報時の呼び出し先番号が登録されていている。
【００２４】
図３は本装置１の動作フローチャートである。以下、図１，図２を併用して、本装置１の動作フローを説明する。本フローは本装置１の電源が投入された状態からスタートする（Ｓ３００）。
【００２５】
本フロースタート後、前の通報が完了しているかを確認し完了していない場合（Ｓ３０１，ＮＯ）クリアボタン８が押下されると（Ｓ３０２，ＹＥＳ）、通報を完了させ（Ｓ３０４）、フローに戻る。
【００２６】
まず映像データ受信処理部１０は、各映像カメラ２から受信した映像データを、切替えながら、または複数の小画面に分割して、映像表示装置４に表示させる（Ｓ３０３）。
【００２７】
無線タグリーダ９が被見守り者の身分証明書や通報ボタンなどに貼られた無線タグからＩＤデータを受信すると（Ｓ３０５，ＹＥＳ）、無線タグＩＤ受信処理部１７が映像データ収集転送制御部１６へ情報を送りＩＤデータ記憶部１５にて対応する映像カメラ２を被見守り者の収集映像カメラとして記憶する（Ｓ３０６）。
【００２８】
無線タグリーダ７が見守り担当者の身分証明書に貼られた無線タグからＩＤデータを受信すると（Ｓ３０７，ＹＥＳ）、ネットワーク５を介して通信制御部１４で無線タグリーダ７からのＩＤデータを受信し、映像データ収集転送制御部１６がＩＤデータ記憶部１５に見守り担当者の対応する転送モニタ６として記憶する（Ｓ３０８）。
【００２９】
例えば、図２において、被見守り者の山田Ａ男が自室より食堂へ移動した場合、食堂に設置している無線タグリーダ９−４が被見守り者の身分証明書や通報ボタンに貼られた無線タグからＩＤデータとして「ＩＤ−Ａ」を読み込む。すると無線タグリーダ９−４に対応した食堂に設置されている映像カメラ２の情報が無線タグＩＤ情報処理部１７を介してＩＤデータ記憶部１５へ記憶される。
【００３０】
同様に見守り担当者Ｄが宿直室より会議室などへ移動した場合、会議室に設置している無線ダグリーダ７−１に対応した転送先モニタ６−１が見守り転送先へ記憶される。
【００３１】
被見守り者のプライバシーを考え、映像自動転送のＯＮＯＦＦを設けていてもよい。図２列２０２に自動転送が設定されている場合（Ｓ３１３，ＹＥＳ）、ＩＤ記憶部１５に記憶している見守り転送先が登録されていれば（Ｓ３０２，ＹＥＳ）、対応する転送先へ被見守り者の映像データを自動的に転送する（Ｓ３２３）。
【００３２】
見守り担当者が無線タグのないところなどへ移動し、対応する転送先がない場合は設定したタイムアウトするまで見守り担当者ＩＤの検出を待ち、検出できた場合には対応する転送先モニタ情報を見守り転送先に記憶し（Ｓ３２７）通報を行う。                  
【００３３】
タイムアウトまで検出できない場合は（Ｓ３２２，ＹＥＳ）、「通報未完了」（Ｓ３２６）とし戻る「通報中」表示がない場合（Ｓ３２５，ＮＯ）はＳ３２６をスキップする。
【００３４】
また映像自動転送モードを設定しない場合（Ｓ３１３，ＮＯ）でも、データ入力部１９が被見守り者の通報において通報ボタン３の押下を検出すると（Ｓ３１０，ＹＥＳ）検出部１８はデータ入力部１９を介して映像データ収集転送制御部１６へ押下情報を送り通報を行う。
【００３５】
例えば、図２において山田Ａ男の場合通報ボタン３−１である。被見守り者に対応するボタンが押下されたことを検出した場合（Ｓ３１０，ＹＥＳ）、対応する映像カメラ２からの映像データに「通報中」などの文字を追加する（Ｓ３１１）。
【００３６】
これにより、通報中であることを映像からも確認できるようにし、その後ＩＤデータ記憶部１５に記憶している呼出番号へＳＭＳなどで通知すると同時に映像表示装置４へ「通報中」を表示させる。その後、Ｓ３２０を経由して通報を行う。
【００３７】
この呼出番号は、例えば図２において、山田Ａ男の呼出番号である番号Ｄである。これにより、見守り担当者がトイレなどで移動先に転送先モニタがない場合でもすぐに状況を判断し転送モニタのあるところへ移動すれば状況を把握することができるようになる。
【００３８】
以上、本発明の一実施の形態について説明した。本実施形態によれば、複数の映像カメラが撮像した映像データを、見守り担当者が移動先でも状況を確認することが出来、また通報時に離席をしていたとしてもＳＭＳで通知することで通報に遅れが出ることを改善することができる。
【符号の説明】
【００３９】
１・・・本発明による見守り映像転送装置
２・・・映像カメラ
３・・・通報ボタン
４・・・映像表示装置
５・・・ネットワーク
６・・・転送先モニタ
７・・・無線タグリーダ（見守り担当者側）
８・・・クリアボタン
９・・・無線タグリーダ（被見守り者側）
１０・・・映像データ受信処理部
１１・・・映像データ変換処理部
１２・・・映像データ蓄積部
１３・・・映像データ切替部
１４・・・通信制御部
１５・・・見守り者データ記憶部
１６・・・映像データ収集転送制御部
１７・・・無線タグＩＤ受信処理部
１８・・・ボタン検出部
１９・・・データ入力部
【図１】
2017174262.tif 000003
【図２】
2017174262.tif 000004
【図３】
2017174262.tif 000005